(57)【要約】【課題】移動端末ＵＥの移動元の交換局ＳＧＳＮ＃１と移動先の交換局ＳＧＳＮ＃２との間で確実にベアラ引き継ぎ処理が行われて、サービス中断といった事態を未然に防止する。【解決手段】交換局ＳＧＳＮ＃１の管理エリアから交換局ＳＧＳＮ＃２の管理エリアへ移動した移動端末ＵＥから、交換局ＳＧＳＮ＃２が、Ｐ−ＴＭＳＩを含む位置登録要求信号を受信する工程と、位置登録要求信号を受信した交換局ＳＧＳＮ＃２が、Ｐ−ＴＭＳＩによって示されるベアラ種別に対応したプロトコルを用いて、交換局ＳＧＳＮ＃１で保持されるベアラ情報の引継ぎを要求するベアラ情報要求信号を交換局ＳＧＳＮ＃１に送信する工程と、ベアラ情報要求信号を受信した交換局ＳＧＳＮ＃１が、ベアラ情報要求信号と同一のプロトコルを用いて、ベアラ情報を含むベアラ情報応答信号を交換局ＳＧＳＮ＃２に送信する工程と、を有する。【選択図】図７
2011135333.tif 000002
【特許請求の範囲】
【請求項１】
第１の交換局の管理エリアに在圏する移動端末に対して、前記第１の交換局が、該移動端末用に確立する論理的な通信路の通信路種別を示す一時加入者識別子を割り当てる工程と、
前記第１の交換局の管理エリアから第２の交換局の管理エリアへ移動した移動端末から、前記第２の交換局が、前記一時加入者識別子を含む位置登録要求信号を受信する工程と、
前記位置登録要求信号を受信した前記第２の交換局が、前記一時加入者識別子によって示される通信路種別に対応したプロトコルを用いて、前記第１の交換局で保持される通信路情報の引継ぎを要求する通信路情報要求信号を該第１の交換局に送信する工程と、
前記通信路情報要求信号を受信した前記第１の交換局が、前記通信路情報要求信号と同一のプロトコルを用いて、前記通信路情報を含む通信路情報応答信号を第２の交換局に送信する工程と、
を具備することを特徴とする移動通信方法。
【請求項２】
前記第２の交換局は、前記通信路情報要求信号を送信する工程において、前記一時加入者識別子によって示される前記通信路種別がＧＰＲＳベアラである場合、ＧＴＰｖ１（ＧＰＲＳ  Ｔｕｎｎｅｌｉｎｇ  Ｐｒｏｔｏｃｏｌ、バージョン１）を用い、前記通信路種別がＥＰＳベアラである場合、ＧＴＰｖ２（ＧＰＲＳ  Ｔｕｎｎｅｌｉｎｇ  Ｐｒｏｔｏｃｏｌ、バージョン２）を用いることを特徴とする請求項１に記載の移動通信方法。
【請求項３】
前記第１の交換局は、前記一時加入者識別子を割り当てる工程において、前記移動端末の契約情報に対応した通信路種別を示す一時加入者識別子を割り当てることを特徴とする請求項１に記載の移動通信方法。
【請求項４】
前記第１の交換局は、前記移動端末の契約情報に対応した通信路種別がＥＰＳベアラであるが、該ＥＰＳベアラに前記移動端末の端末能力が対応していない場合、前記移動端末の対応能力に対応した通信路種別を示す一時加入者識別子を割り当てることを特徴とする請求項３に記載の移動通信方法。
【請求項５】
前記第１の交換局は、前記一時加入者識別子によって示される通信路種別と前記移動端末用に確立する確立通信路の通信路種別とが異なる場合、前記確立通信路の通信路種別を示す一時加入者識別子を前記移動端末に再割当てする工程を更に具備することを特徴とする請求項１に記載の移動通信方法。
【請求項６】
前記第１の交換局は、変更された端末能力に対応する通信路種別と前記一時加入者識別子によって示される通信路種別とが異なる場合、変更された前記端末能力に対応する前記通信路種別を示す一時加入者識別子を再割当てする工程を更に具備することを特徴とする請求項１に記載の移動通信方法。
【請求項７】
前記第１の交換局は、変更された端末能力に対応する通信路種別と前記契約情報に対応する通信路種別とが一致する場合、変更された前記端末能力に対応する前記通信路種別を示す一時加入者識別子を再割当てする工程を更に具備することを特徴とする請求項１に記載の移動通信方法。
【請求項８】
前記第１の交換局は、変更された契約情報に対応する通信路種別と前記一時加入者識別子によって示される通信路種別とが異なる場合、変更された前記契約情報に対応する前記通信路種別を示す一時加入者識別子を再割当てする工程を更に具備することを特徴とする請求項１に記載の移動通信方法。
【請求項９】
前記第１の交換局は、変更された契約情報に対応する通信路種別と前記端末能力に対応する通信路種別とが一致する場合、変更された前記契約情報に対応する前記通信路種別を示す一時加入者識別子を再割当てする工程を更に具備することを特徴とする請求項１に記載の移動通信方法。
【請求項１０】
第１の交換局の管理エリアに在圏する移動端末からのアタッチ要求信号に応じて、前記第１の交換局が、該移動端末用に確立する論理的な通信路の通信路種別を示す通信路種別識別子を含むアタッチ応答信号を送信する工程と、
前記第１の交換局の管理エリアから第２の交換局の管理エリアへ移動した移動端末から、前記第２の交換局が、前記通信路種別識別子を含む位置登録要求信号を受信する工程と、
前記位置登録要求信号を受信した前記第２の交換局が、前記通信路種別識別子によって示される通信路種別に対応したプロトコルを用いて、前記第１の交換局で保持される通信路情報の引継ぎを要求する通信路情報要求信号を該第１の交換局に送信する工程と、
前記通信路情報要求信号を受信した前記第１の交換局が、前記通信路情報要求信号と同一のプロトコルを用いて、前記通信路情報を含む通信路情報応答信号を第２の交換局に送信する工程と、
を具備することを特徴とする移動通信方法。
【請求項１１】
前記第２の交換局は、前記通信路情報要求信号を送信する工程において、前記通信路種別識別子によって示される前記通信路種別がＧＰＲＳベアラである場合、ＧＴＰｖ１（ＧＰＲＳ  Ｔｕｎｎｅｌｉｎｇ  Ｐｒｏｔｏｃｏｌ、バージョン１）を用い、前記通信路種別がＥＰＳベアラである場合、ＧＴＰｖ２（ＧＰＲＳ  Ｔｕｎｎｅｌｉｎｇ  Ｐｒｏｔｏｃｏｌ、バージョン２）を用いることを特徴とする請求項１０に記載の移動通信方法。
【請求項１２】
移動端末が他の交換局の管理エリアから自局の管理エリアへ移動して来ると、前記他の交換局から該移動端末に関する通信路情報の引継ぎを行う交換局であって、
前記移動端末用に確立する論理的な通信路の通信路種別を示す一時加入者識別子を含む位置登録要求信号を、前記移動端末から受信する位置登録要求信号受信部と、
前記一時加入者識別子によって示される通信路種別に対応したプロトコルを用いて、前記第１の交換局で保持される通信路情報の引継ぎを要求する通信路情報要求信号を該第１の交換局に送信し、前記通信路情報を含む通信路情報応答信号を該第１の交換局から受信する通信路情報引継部と、
を具備することを特徴とする交換局。
【請求項１３】
移動端末が他の交換局の管理エリアから自局の管理エリアへ移動して来ると、前記他の交換局から該移動端末に関する通信路情報の引継ぎを行う交換局であって、
前記移動端末用に確立する論理的な通信路の通信路種別を示す通信路種別識別子を含む位置登録要求信号を、前記移動端末から受信する位置登録要求信号受信部と、
前記通信路種別識別子によって示される通信路種別に対応したプロトコルを用いて、前記第１の交換局で保持される通信路情報の引継ぎを要求する通信路情報要求信号を該第１の交換局に送信し、前記通信路情報を含む通信路情報応答信号を該第１の交換局から受信する通信路情報引継部と、
を具備することを特徴とする交換局。
【発明の詳細な説明】
【技術分野】
【０００１】
本発明は、移動端末が他の交換局の管理エリアから自局の管理エリアに移動して来た場合に、他の交換局から移動端末に関するベアラ情報の引継ぎを行う移動通信方法及び交換局に関する。
【背景技術】
【０００２】
現状の３ＧＰＰ仕様では、Ｉｄｌｅ状態の移動端末が交換局ＳＧＳＮ跨りで移動した場合に、Ｐｒｅｓｅｒｖａｔｉｏｎ状態にあるベアラを移動元の交換局ＳＧＳＮから移動先の交換局ＳＧＳＮへ引き継ぐ処理が規定されている（非特許文献１）。ベアラの種別としてＧＰＲＳベアラとＥＰＳベアラとがあり、ＧＰＲＳベアラ情報を示すＰＤＰコンテキスト及びＥＰＳベアラ情報を示すＥＰＳコンテキストは、各々ＧＴＰｖ１（ＧＰＲＳ  Ｔｕｎｎｅｌｉｎｇ  Ｐｒｏｔｏｃｏｌ、バージョン１）及びＧＴＰｖ２（ＧＰＲＳ  Ｔｕｎｎｅｌｉｎｇ  Ｐｒｏｔｏｃｏｌ、バージョン２）でのみ引き継ぐ事が現状の３ＧＰＰ仕様として規定されている（非特許文献２、３）。
【０００３】
図１５（Ａ）（Ｂ）は、移動端末ＵＥの移動先の交換局ＳＧＳＮ＃１から移動元の交換局ＳＧＳＮ＃２へベアラ情報を引き継ぐための手順を示しており、同図（Ａ）はＧＴＰｖ１を用いてベアラ情報を引き継ぐ場合、同図（Ｂ）はＧＴＰｖ２を用いてベアラ情報を引き継ぐ場合を示している。
【０００４】
図１５（Ａ）に示されるように、移動端末がＩｄｌｅ時の交換局ＳＧＳＮ跨りの移動により、移動端末が移動先の交換局ＳＧＳＮ＃２へ位置登録要求すると、移動先の交換局ＳＧＳＮ＃２が移動元の交換局ＳＧＳＮ＃１に対して旧側で確立しているＧＰＲＳベアラ情報の引継ぎを行う。そのために、移動先交換局ＳＧＳＮ＃２は移動元の交換局ＳＧＳＮ＃１にＧＴＰｖ１を用いてベアラ情報を要求する。移動元の交換局ＳＧＳＮ＃１は移動先の交換局ＳＧＳＮ＃２からのＧＴＰｖ１を用いた要求受信時に現在確立しているＧＰＲＳベアラのベアラ情報を応答信号に設定して返信する。移動先の交換局ＳＧＳＮ＃２は移動元の交換局ＳＧＳＮ＃１からの応答信号に設定されたベアラ情報を基にベアラ情報を引き継ぎ、ベアラ情報を基にしてＧＴＰｖ１を用いて移動先の交換局ＳＧＳＮ＃２とパケットゲートウェイＧＧＳＮとの間に新たなＧＰＲＳベアラを確立する。
【０００５】
また、図１５（Ｂ）に示されるように、移動元の交換局ＳＧＳＮ＃１がサービングゲートウェイＳ−ＧＷを介してパケットゲートウェイＰ−ＧＷ（不図示）との間に確立しているＥＰＳベアラを引き継ぐ場合、移動先の交換局ＳＧＳＮ＃２は移動元の交換局ＳＧＳＮ＃１にＧＴＰｖ２を用いてベアラ情報を要求する。移動元の交換局ＳＧＳＮ＃１は移動先の交換局ＳＧＳＮ＃２からＧＴＰｖ２を用いた要求受信時に現在確立しているＥＰＳアラのベアラ情報を応答信号に設定して返信する。移動先の交換局ＳＧＳＮ＃２は応答信号に設定されたベアラ情報を基にベアラ情報を引き継ぎ、ベアラ情報を基にしてＧＴＰｖ２を用いて移動先の交換局ＳＧＳＮ＃１とサービングゲートウェイＳ−ＧＷとの間に新たなＥＰＳベアラを確立する。
【先行技術文献】
【非特許文献】
【０００６】
【非特許文献１】３ＧＰＰ ＴＳ２３．０６０（Ｖｅｒｓｉｏｎ８．７．０）
【非特許文献２】３ＧＰＰ ＴＳ２９．０６０（Ｖｅｒｓｉｏｎ８．１０．０）
【非特許文献３】３ＧＰＰ ＴＳ２９．２７４（Ｖｅｒｓｉｏｎ８．４．０）
【発明の概要】
【発明が解決しようとする課題】
【０００７】
ところで、ＵＭＴＳとＥＰＳの相互運用を実現するために、ＬＴＥ方式に対応した移動端末をＥＰＣネットワークに接続させる交換局ＳＧＳＮは、ＧＴＰｖ１及びＧＴＰｖ２の両方に対応している。そのため、移動元の交換局ＳＧＳＮからベアラ情報を引き継ぐ場合は、予め決められたＧＴＰｖ１又はＧＴＰｖ２を用いてベアラ情報を要求する。しかしながら、現在の仕様では、ＧＴＰｖ２ではＥＰＳベアラ情報しか引き継ぐことができず、ＧＰＲＳベアラ情報を引き継ぐことができない。また、逆にＧＴＰｖ１にはＧＰＲＳベアラ情報しか引き継ぐことはできず、ＥＰＳベアラ情報は引き継ぐことはできない。
【０００８】
したがって、移動先の交換局ＳＧＳＮ＃２が、移動元の交換局ＳＧＳＮ＃１が保持するベアラ情報を引継ぎ不可能なプロトコルで引継ぎを要求した場合、ベアラ情報を引継ぎできない事態に陥る可能性がある。たとえば、図１５（Ａ）において、移動元の交換局ＳＧＳＮ＃１が、ＧＰＲＳユーザ（すなわち、ＵＭＴＳ／ＧＰＲＳ方式のみに対応した移動端末）に対してＧＰＲＳベアラを確立していたところに、移動先の交換局ＳＧＳＮ＃２からＧＴＰｖ２によるベアラ情報の引継要求を受信すると、移動元の交換局ＳＧＳＮ＃１は引き継ぐべきＧＰＲＳベアラ情報を信号に設定できないためにエラーを返し、ＧＰＲＳユーザに対するサービスが中断される問題が生じる。同様に、図１５（Ｂ）において、移動元の交換局ＳＧＳＮ＃１がＥＰＳユーザ（すなわち、ＬＴＥ方式に対応した移動端末）に対してＥＰＳベアラを確立していたところに、移動先の交換局ＳＧＳＮ＃１からＧＴＰｖ１によるベアラ情報の引継要求を受信すると、移動元の交換局ＳＧＳＮ＃２は引き継ぐべきＥＰＳベアラ情報を信号に設定できないため、エラーを返し、ＥＰＳユーザに対するサービスが中断される問題が生じる。
【０００９】
本発明は、かかる点に鑑みてなされたものであり、移動元の交換局ＳＧＳＮと移動先の交換局ＳＧＳＮとの間で確実にベアラ引き継ぎ処理が行われて、サービス中断といった事態を招くことのない移動通信方法及び交換局を提供することを目的とする。
【課題を解決するための手段】
【００１０】
本発明の一つの側面では、第１の交換局の管理エリアに在圏する移動端末に対して、前記第１の交換局が、該移動端末用に確立する論理的な通信路の通信路種別を示す一時加入者識別子を割り当てる工程と、前記第１の交換局の管理エリアから第２の交換局の管理エリアへ移動した移動端末から、前記第２の交換局が、前記一時加入者識別子を含む位置登録要求信号を受信する工程と、前記位置登録要求信号を受信した前記第２の交換局が、前記一時加入者識別子によって示される通信路種別に対応したプロトコルを用いて、前記第１の交換局で保持される通信路情報の引継ぎを要求する通信路情報要求信号を該第１の交換局に送信する工程と、前記通信路情報要求信号を受信した前記第１の交換局が、前記通信路情報要求信号と同一のプロトコルを用いて、前記通信路情報を含む通信路情報応答信号を第２の交換局に送信する工程と、を具備することを特徴とする。
【００１１】
この特徴によれば、第２の交換局が、一時加入者識別子によって示される通信路種別に対応したプロトコルを用いて第１の交換局で保持される通信路情報の引継ぎを要求するので、第１の交換局と第２の交換局との間で確実に通信路情報の引継ぎ処理を行うことができ、サービス中断といった事態を招くのを防ぐことができる。
【００１２】
本発明の他の側面では、第１の交換局の管理エリアに在圏する移動端末からのアタッチ要求信号に応じて、前記第１の交換局が、該移動端末用に確立する論理的な通信路の通信路種別を示す通信路種別識別子を含むアタッチ応答信号を送信する工程と、前記第１の交換局の管理エリアから第２の交換局の管理エリアへ移動した移動端末から、前記第２の交換局が、前記通信路種別識別子を含む位置登録要求信号を受信する工程と、前記位置登録要求信号を受信した前記第２の交換局が、前記通信路種別識別子によって示される通信路種別に対応したプロトコルを用いて、前記第１の交換局で保持される通信路情報の引継ぎを要求する通信路情報要求信号を該第１の交換局に送信する工程と、前記通信路情報要求信号を受信した前記第１の交換局が、前記通信路情報要求信号と同一のプロトコルを用いて、前記通信路情報を含む通信路情報応答信号を第２の交換局に送信する工程と、を具備することを特徴とする。
【００１３】
この特徴によれば、第２の交換局が、通信路種別識別子によって示される通信路種別に対応したプロトコルを用いて第１の交換局で保持される通信路情報の引継ぎを要求するので、第１の交換局と第２の交換局との間で確実に通信路情報の引継ぎ処理を行うことができ、サービス中断といった事態を招くのを防ぐことができる。
【発明の効果】
【００１４】
本発明によれば、移動元の交換局ＳＧＳＮと移動先の交換局ＳＧＳＮとの間で確実にベアラ引き継ぎ処理が行われて、サービス中断といった事態を未然に防止することができる。
【図面の簡単な説明】
【００１５】
【図１】第１の実施形態に係る移動通信システムの概略構成図である。
【図２】第１の実施形態に係る交換局の機能ブロック図である。
【図３】第１の実施形態に係るＰ−ＴＭＳＩの構成例である。
【図４】第１の実施形態に係るアタッチ時の動作を示す概略図である。
【図５】第１の実施形態に係るアタッチ時の動作を示すシーケンス図である。
【図６】第１の実施形態に係る交換局ＳＧＳＮ跨りの移動時の動作を示す概略図である。
【図７】第１の実施形態に係る交換局ＳＧＳＮ跨りの移動時の動作を示すシーケンス図である。
【図８】第１の実施形態に係るＰＳ発信時の動作を示す概略図である。
【図９】第１の実施形態に係るＰＳ発信時の動作を示すシーケンス図である。
【図１０】第２の実施形態に係るアタッチ時の動作を示すシーケンス図である。
【図１１】第２の実施形態に係る端末能力変更時の動作を示すシーケンス図である。
【図１２】第２の実施形態に係る契約変更時の動作を示すシーケンス図である。
【図１３】第３の実施形態に係るアタッチ応答信号の構成例を示す図である。
【図１４】第３の実施形態に係るアタッチ時の動作を示すシーケンス図である。
【図１５】従来の交換局ＳＧＳＮ跨りの移動時の動作を示すシーケンス図である。
【発明を実施するための形態】
【００１６】
以下、本発明の一実施の形態について図面を参照して詳細に説明する。
【００１７】
［第１の実施形態］
＜移動通信システムの構成＞
図１は、移動通信システムの構成を示す図である。移動通信システムは、移動端末ＵＥと、移動端末ＵＥと無線波を介してＵＭＴＳ／ＧＰＲＳ方式の通信を行うＵＴＲＡＮ／ＧＥＲＡＮと、ＵＭＴＳ／ＧＰＲＳ方式のパケット交換サービスを提供するＵＭＴＳ／ＧＰＲＳパケットコアネットワークと、ＬＴＥ方式のパケット交換サービスを提供するＥＰＣネットワークと、ＵＭＴＳ／ＧＰＲＳパケットコアネットワークとＥＰＣネットワークとの双方に属する交換局ＳＧＳＮと、加入者管理サーバＨＳＳとを含んで構成されている。
【００１８】
本実施の形態において、移動端末ＵＥは、ＵＭＴＳ／ＧＰＲＳ方式のみに対応した無線通信端末と、ＵＭＴＳ／ＧＰＲＳ方式及びＬＴＥ方式の双方に対応した無線通信端末を対象としている。
【００１９】
ＵＴＲＡＮ／ＧＥＲＡＮは、無線基地局ＮＢ／ＢＴＳと、無線基地局ＮＢ／ＢＴＳを制御する無線制御装置ＲＮＣ／ＢＴＳとを含んで構成される。無線基地局ＮＢ／ＢＴＳは、セルを形成し、セルに在圏する移動端末ＵＥと無線チャネルを介して信号を送受信するものである。無線制御装置ＲＮＣ／ＢＴＳは、無線基地局ＮＢ／ＢＴＳを制御し、移動端末ＵＥへの無線チャネルの割り当てなどを行う。
【００２０】
ＵＭＴＳ／ＧＰＲＳパケットコアネットワークは、パケットゲートウェイＧＧＳＮを含んで構成される。パケットゲートウェイＧＧＳＮは、交換局ＳＧＳＮを介して、ＵＭＴＳ／ＧＰＲＳ方式のみに対応した移動端末ＵＥとの間でＧＰＲＳベアラを確立する。ここで、ＧＰＲＳベアラは、ＵＭＴＳ／ＧＰＲＳ方式でユーザパケットを転送する論理的な通信路である。
【００２１】
ＥＰＣネットワークは、サービングゲートウェイＳ−ＧＷとパケットゲートウェイＰ−ＧＷとを含んで構成される。パケットゲートウェイＰ−ＧＷは、交換局ＳＧＳＮ、サービングゲートウェイＳ−ＧＷを介して、ＬＴＥ方式に対応した移動端末ＵＥとの間でＥＰＳベアラを確立する。ここで、ＥＰＳベアラは、ＬＴＥ方式でユーザパケットを転送する論理的な通信路である。
【００２２】
交換局ＳＧＳＮは、ＵＭＴＳ／ＧＰＲＳパケットコアネットワークのパケットゲートウェイＧＧＳＮにＧｎインタフェースを介して接続されるとともに、ＥＰＣネットワークのサービングゲートウェイＳ−ＧＷにＳ４インタフェースを介して接続されている。交換局ＳＧＳＮは、移動端末ＵＥのＬＴＥ方式の対応有無に応じて、パケットゲートウェイＧＧＳＮとの間で確立されるＧＰＲＳベアラの制御、或いは、サービングゲートウェイＳ−ＧＷを介してパケットゲートウェイＰ−ＧＷとの間で確立されるＥＰＳベアラの制御を行う。
【００２３】
また、交換局ＳＧＳＮは、ＧＴＰｖ１（ＧＰＲＳ  Ｔｕｎｎｅｌｉｎｇ  Ｐｒｏｔｏｃｏｌ、バージョン１）とＧＴＰｖ２（ＧＰＲＳ  Ｔｕｎｎｅｌｉｎｇ  Ｐｒｏｔｏｃｏｌ、バージョン２）との双方を利用可能である。ここで、ＧＴＰｖ１とは、ＧＰＲＳベアラの制御を行うプロトコルであり、交換局ＳＧＳＮとパケットゲートウェイＧＧＳＮとの間の信号の送受信、移動端末ＵＥの移動元の交換局ＳＧＳＮと移動先の交換局ＳＧＳＮとの間の信号の送受信に用いられる。また、ＧＴＰｖ２は、ＥＰＳの制御を行うプロトコルであり、交換局ＳＧＳＮとサービングゲートウェイＳ−ＧＷとの間の信号の送受信、移動端末ＵＥの移動元の交換局ＳＧＳＮと移動先の交換局ＳＧＳＮとの間の信号の送受信に用いられる。
【００２４】
また、交換局ＳＧＳＮは、加入者管理サーバＨＳＳに対して移動端末ＵＥの位置登録処理を行う。加入者管理サーバＨＳＳは、移動端末ＵＥの契約情報や位置登録エリアを管理するものである。
【００２５】
＜交換局ＳＧＳＮの構成＞
次に、第１の実施形態に係る交換局ＳＧＳＮの構成について説明する。なお、移動端末ＵＥは、通信インタフェース、プロセッサ、メモリ、ディスプレイ、入力キーを含むハードウェアを有しており、メモリには、プロセッサによって実行されるソフトウェアモジュールが記憶されている。以下で説明する機能は、上述のハードウェアによって実現されてもよいし、プロセッサによって実行されるソフトウェアモジュールによって実現されてもよいし、両者の組み合わせによって実現されてもよい。
【００２６】
図２は、第１の実施形態に係る交換局ＳＧＳＮの機能ブロック図である。図２に示すように、交換局ＳＧＳＮは、ＵＥ間インタフェース部１０１、ＨＳＳ間インタフェース部１０２、ＳＧＳＮ間インタフェース部１０３、契約情報判定部１０４、Ｐ−ＴＭＳＩ割当部１０５、Ｐ−ＴＭＳＩ判定部１０６、ＧＴＰバージョン決定部１０７、Ｐ−ＴＭＳＩ再割当部１０８とから構成される。
【００２７】
ＵＥ間インタフェース部１０１は、Ｉｕインタフェースを用いて移動端末ＵＥとの間で信号を送受信する。具体的には、ＵＥ間インタフェース部１０１は、アタッチ要求信号、位置登録要求信号、ＰＳ発信信号などを移動端末ＵＥから受信する。また、ＵＥ間インタフェース部１０１は、後述するアタッチ応答信号、位置登録応答信号、Ｐ−ＴＭＳＩ再割当信号などを移動端末ＵＥに送信する。
【００２８】
ＨＳＳ間インタフェース部１０２は、Ｇｒ／Ｓ６ｄインタフェースを用いて加入者管理サーバＨＳＳとの間で信号を送受信する。具体的には、ＨＳＳ間インタフェース部１０２は、後述する位置登録要求信号を加入者管理サーバＨＳＳに送信し、位置登録応答信号を加入者管理サーバＨＳＳから受信する。
【００２９】
ＳＧＳＮ間インタフェース部１０３は、Ｇｎ／Ｓ１６インタフェースを用いて他の交換局ＳＧＳＮとの間で信号を送受信する。具体的には、ＳＧＳＮ間インタフェース部１０３は、後述するＧＴＰバージョン決定部１０７による決定結果に従って、ＧＴＰｖ１又はＧＴＰｖ２を用いてベアラ情報要求信号（通信路情報要求信号）を移動端末ＵＥの移動元の交換局ＳＧＳＮに送信する。また、ＳＧＳＮ間インタフェース部１０３は、ＧＴＰｖ１又はＧＴＰｖ２を用いてベアラ情報応答信号（通信路情報応答信号）を移動端末ＵＥの移動元の交換局ＳＧＳＮから受信する。
【００３０】
契約情報判定部１０４は、ＨＳＳ間インタフェース部１０２によって受信された位置登録応答信号に含まれる移動端末ＵＥの契約情報が、「ＧＰＲＳ  ｏｎｌｙ（ＧＰＲＳ契約のみ）」であるか、「ＥＰＳ＋ＧＰＲＳ（ＥＰＳ契約及びＧＰＲＳ契約）」であるかを判定する。
【００３１】
Ｐ−ＴＭＳＩ割当部１０５は、移動端末ＵＥの契約情報に対応したベアラ種別（通信路種別）を示すＰ−ＴＭＳＩを移動端末ＵＥに割り当てる。ここで、Ｐ−ＴＭＳＩ（一時加入者識別子）とは、移動端末ＵＥからのアタッチ要求に応じて、一時的に割り当てられる移動端末ＵＥの識別子である。具体的には、Ｐ−ＴＭＳＩ割当部１０５は、契約情報判定部１０４によって契約情報が「ＧＰＲＳ  ｏｎｌｙ」であると判定された場合、ＧＰＲＳベアラを利用することを示すＰ−ＴＭＳＩを移動端末ＵＥに割り当てる。一方、Ｐ−ＴＭＳＩ割当部１０５は、契約情報判定部１０４によって契約情報が「ＥＰＳ＋ＧＰＲＳ」であると判定された場合、ＥＰＳベアラを利用することを示すＰ−ＴＭＳＩを移動端末ＵＥに割り当てる。
【００３２】
図３は、Ｐ−ＴＭＳＩの構成例を示す図である。図３（ａ）では、Ｐ−ＴＭＳＩを構成する所定のビットを、ベアラ種別を識別するベアラ識別子として利用する。Ｐ−ＴＭＳＩ割当部１０５は、契約情報の判定結果に応じてベアラ識別子に「１」又は「０」を設定することによって、ＧＰＲＳベアラ又はＥＰＳベアラを利用することを示すＰ−ＴＭＳＩを移動端末ＵＥに割り当ててもよい。なお、ベアラ識別子は、「１（ＧＰＲＳベアラ利用）」、「０（ＥＰＳベアラ利用）」のように設定されてもよいし、「１（ＥＰＳベアラ利用）」、「０（ＧＰＲＳベアラ利用）」のように設定されてもよい。
【００３３】
図３（ｂ）では、Ｐ−ＴＭＳＩをＧＰＲＳ用領域とＥＰＳ用領域とに分ける。Ｐ−ＴＭＳＩ割当部１０５は、契約情報の判定結果に応じて、ＧＰＲＳ用領域又はＥＰＳ用領域のいずれかに値を設定することによって、ＧＰＲＳベアラ又はＥＰＳベアラを利用することを示すＰ−ＴＭＳＩを移動端末ＵＥに割り当ててもよい。なお、ＧＰＲＳ用領域とＥＰＳ用領域との位置は、図３（ｂ）に示す位置に限られるものではない。
【００３４】
Ｐ−ＴＭＳＩ判定部１０６は、ＵＥ間インタフェース部１０１によって受信された位置登録要求信号に含まれるＰ−ＴＭＳＩにより、移動端末ＵＥが利用するベアラのベアラ種別を判定する。具体的には、Ｐ−ＴＭＳＩ判定部１０６は、図３（ａ）に示すベアラ識別子が「１」、「０」のいずれであるかによって、或いは、図３（ｂ）に示すＧＰＲＳ領域又はＥＰＳ領域のいずれに値が設定されているかによって、ベアラ種別を判定する。
【００３５】
ＧＴＰバージョン決定部１０７は、どのバージョンのＧＴＰを用いてＳＧＳＮ間インタフェース部１０３からベアラ情報要求信号を送信するかを決定する。具体的には、ＧＴＰバージョン決定部１０７は、Ｐ−ＴＭＳＩ判定部１０６によってベアラ種別がＧＰＲＳベアラであると判定された場合、ＧＰＲＳベアラ情報（ＰＤＰコンテキスト）を受信可能なＧＴＰｖ１を用いることを決定する。一方、ＧＴＰバージョン決定部１０７は、Ｐ−ＴＭＳＩ判定部１０６によってベアラ種別がＥＰＳベアラであると判定された場合、ＥＰＳベアラ情報（ＥＰＳコンテキスト）を受信可能なＧＴＰｖ２を用いることを決定する。
【００３６】
Ｐ−ＴＭＳＩ再割当部１０８は、Ｐ−ＴＭＳＩ判定部１０６によって判定されたベアラ種別と移動端末ＵＥが確立すべき確立ベアラ（確立通信路）のベアラ種別とが異なる場合、確立ベアラのベアラ種別に合致したＰ−ＴＭＳＩを移動端末ＵＥに再割当する。
【００３７】
＜移動通信システムの動作＞
次に、図４〜９を参照して、以上のように構成された移動通信システムの動作について説明する。なお、図４及び５、図６及び７、図８及び９の各々において、同じ符号は、同じステップを示すものとする。また、図４〜９において、移動端末ＵＥと交換局ＳＧＳＮとの間の信号は、図示しない無線基地局ＮＢ／ＢＴＳ及び無線制御装置ＲＮＣ／ＢＳＣを介して送受信されるものとする。
【００３８】
（１−１）アタッチ時の動作
図４、５を参照し、第１の実施形態に係る移動通信システムにおけるアタッチ時の動作について説明する。図４、５は、第１の実施形態に係る移動通信システムにおけるアタッチ時の動作を示す概略図及びシーケンス図である。なお、アタッチとは、移動端末ＵＥの位置登録を行うとともに、移動端末ＵＥにＰ−ＴＭＳＩを割り当てる処理である。
【００３９】
図４、５に示すように、セル内に在圏する移動端末ＵＥは、アタッチを要求するアタッチ要求信号を交換局ＳＧＳＮに送信する（ステップＳ１０１）。交換局ＳＧＳＮは、移動端末ＵＥからのアタッチ要求信号に応じて、移動端末ＵＥの位置登録を要求する位置登録要求信号を加入者管理サーバＨＳＳに送信する（ステップＳ１０２）。加入者管理サーバＨＳＳは、交換局ＳＧＳＮからの位置登録要求信号に応じて、移動端末ＵＥの契約情報を参照して位置登録処理を行い、該契約情報を含む位置登録応答信号を交換局ＳＧＳＮに送信する（ステップＳ１０３）。
【００４０】
交換局ＳＧＳＮは、加入者管理サーバＨＳＳからの位置登録応答信号に含まれる移動端末ＵＥの契約情報が、「ＧＰＲＳ  ｏｎｌｙ（ＧＰＲＳ契約のみ）」であるか、「ＥＰＳ＋ＧＰＲＳ（ＥＰＳ契約及びＧＰＲＳ契約）」であるかを判定する（ステップＳ１０４）。
【００４１】
契約情報が「ＧＰＲＳ  ｏｎｌｙ」である場合、交換局ＳＧＳＮは、ＧＰＲＳベアラを利用することを示すＰ−ＴＭＳＩを移動端末ＵＥに割り当てる（ステップＳ１０５）。例えば、交換局ＳＧＳＮは、図３（ａ）に示すベアラ識別子が「１（ＧＰＲＳベアラ利用）」に設定されたＰ−ＴＭＳＩや、図３（ｂ）に示すＧＰＲＳ領域に値が設定されたＰ−ＴＭＳＩを移動端末ＵＥに割り当てる。交換局ＳＧＳＮは、割当てられたＰ−ＴＭＳＩを含むアタッチ応答信号を移動端末ＵＥに送信する（ステップＳ１０６）。
【００４２】
契約情報が「ＥＰＳ＋ＧＰＲＳ」である場合、交換局ＳＧＳＮは、ＥＰＳベアラを利用することを示すＰ−ＴＭＳＩを移動端末ＵＥに割り当てる（ステップＳ１０７）。例えば、交換局ＳＧＳＮは、図３（ａ）に示すベアラ識別子が「０（ＥＰＳベアラ利用）」に設定されたＰ−ＴＭＳＩや、図３（ｂ）に示すＥＰＳ領域に値が設定されたＰ−ＴＭＳＩを移動端末ＵＥに割り当てる。交換局ＳＧＳＮは、割当てられたＰ−ＴＭＳＩを含むアタッチ応答信号を移動端末ＵＥに送信する（ステップＳ１０８）。
【００４３】
（１−２）交換局ＳＧＳＮ跨りの移動時の動作
図６、７を参照し、第１の実施形態に係る移動通信システムにおいて、Ｉｄｌｅ状態の移動端末ＵＥが交換局ＳＧＳＮ跨りで移動する場合の動作について説明する。図６、７は、第１の実施形態に係る移動通信システムにおいて、Ｉｄｌｅ状態の移動端末ＵＥが交換局ＳＧＳＮ＃１（第１の交換局）の管理エリアから交換局ＳＧＳＮ＃２（第２の交換局）の管理エリアに移動する場合の動作を示す概略図及びシーケンス図である。
【００４４】
図６に示すように、交換局ＳＧＳＮ＃１は、パケットゲートウェイＧＧＳＮとの間でＧＰＲＳベアラを維持するか、或いは、サービングゲートウェイＳ−ＧＷを介してパケットゲートウェイＰ−ＧＷ（不図示）との間でＥＰＳベアラを維持している（ステップＳ２０１）。具体的には、交換局ＳＧＳＮ＃１は、プリザベーション機能によりパケットゲートウェイＧＧＳＮとの間でＧＰＲＳベアラを維持し、当該ＧＰＲＳベアラの情報を示すＧＰＲＳベアラ情報（ＰＤＰコンテキスト）を保持している。或いは、交換局ＳＧＳＮ＃１は、プリザベーション機能によりサービングゲートウェイＳ−ＧＷを介してパケットゲートウェイＰ−ＧＷ（図示なし）との間でＥＰＳベアラを維持し、当該ＥＰＳベアラの情報を示すＥＰＳベアラ情報（ＥＰＳコンテキスト）を保持している。
【００４５】
Ｉｄｌｅ状態の移動端末ＵＥは、交換局ＳＧＳＮ＃１の管理エリアから交換局ＳＧＳＮ＃２の管理エリアに移動する（ステップＳ２０２）。図６、７に示すように、交換局ＳＧＳＮ＃２の管理エリアに移動した移動端末ＵＥは、交換局ＳＧＳＮ＃１から割り当てられたＰ−ＴＭＳＩを含む位置登録要求信号を交換局ＳＧＳＮ＃２に送信する（ステップＳ２０３）。位置登録要求信号とは、移動後の位置登録エリアに対する移動端末ＵＥの位置登録を要求するものである。
【００４６】
交換局ＳＧＳＮ＃２は、移動端末ＵＥからの位置登録要求信号に含まれるＰ−ＴＭＳＩにより、ベアラ種別を判定する（ステップＳ２０４）。具体的には、交換局ＳＧＳＮ＃２は、図３（ａ）に示すベアラ識別子が「１（ＧＰＲＳベアラ利用）」、「０（ＥＰＳベアラ利用）」のいずれであるかによって、或いは、図３（ｂ）に示すＧＰＲＳ領域又はＥＰＳ領域のいずれに値が設定されているかによって、ベアラ種別を判定する。
【００４７】
ベアラ種別がＧＰＲＳベアラである場合、交換局ＳＧＳＮ＃２は、ＧＰＲＳベアラ情報を要求するベアラ情報要求信号（通信路情報要求信号）をＧＴＰｖ１により送信することを決定する（ステップＳ２０５）。交換局ＳＧＳＮ＃２は、ＧＰＲＳベアラ情報を要求するベアラ情報要求信号をＧＴＰｖ１により交換局ＳＧＳＮ＃１に送信する（ステップＳ２０６）。交換局ＳＧＳＮ＃１は、交換局ＳＧＳＮ＃２からのベアラ情報要求信号に応じて、ＧＰＲＳベアラ情報を含むベアラ情報応答信号をＧＴＰｖ１により交換局ＳＧＳＮ＃２に送信する（ステップＳ２０７）。
【００４８】
交換局ＳＧＳＮ＃２は、交換局ＳＧＳＮ＃１からのＧＰＲＳベアラ情報に基づいてパケットゲートウェイＧＧＳＮとの間でＧＰＲＳベアラの設定処理を行うとともに、加入者管理サーバＨＳＳ（不図示）に対する移動端末ＵＥの位置登録処理を行う（ステップＳ２０８）。交換局ＳＧＳＮ＃２は、位置登録が完了したことを示す位置登録応答信号を送信する（図６のステップＳ２０９）。
【００４９】
ベアラ種別がＥＰＳベアラである場合、交換局ＳＧＳＮ＃２は、ＥＰＳベアラ情報を要求するベアラ情報要求信号をＧＴＰｖ２により送信することを決定する（ステップＳ２１０）。交換局ＳＧＳＮ＃２は、ＥＰＳベアラ情報を要求するベアラ情報要求信号をＧＴＰｖ２により交換局ＳＧＳＮ＃１に送信する（ステップＳ２１１）。交換局ＳＧＳＮ＃１は、交換局ＳＧＳＮ＃２からのベアラ情報要求信号に応じて、ＥＰＳベアラ情報を含むベアラ情報応答信号をＧＴＰｖ２により交換局ＳＧＳＮ＃２に送信する（ステップＳ２１２）。
【００５０】
交換局ＳＧＳＮ＃２は、交換局ＳＧＳＮ＃１からのＥＰＳベアラ情報に基づいてサービングゲートウェイＳ−ＧＷとの間でＥＰＳベアラの設定処理を行うとともに、加入者管理サーバＨＳＳ（不図示）に対する移動端末ＵＥの位置登録処理を行う（ステップＳ２１３）。交換局ＳＧＳＮ＃２は、位置登録が完了したことを示す位置登録応答信号を送信する（図６のステップＳ２１４）。
【００５１】
（１−３）ＰＳ発信時の動作
図８、９を参照し、第１の実施形態に係る移動通信システムにおいて、ＧＰＲＳベアラ又はＥＰＳベアラを確立した移動端末ＵＥが発信する場合の動作について説明する。図８、９は、第１の実施形態に係る移動通信システムにおいて、ＧＰＲＳベアラ又はＥＰＳベアラを確立した移動端末ＵＥが発信する場合の動作を示す概略図及びシーケンス図である。
【００５２】
図８、９において、移動端末ＵＥは、パケット交換による発信を要求するＰＳ発信信号を交換局ＳＧＳＮに送信する（ステップＳ３０１）。ＰＳ発信信号には、上述のアタッチ時の動作によって割り当てられたＰ−ＴＭＳＩが含まれている。
【００５３】
交換局ＳＧＳＮは、移動端末ＵＥからのＰＳ発信信号に応じて、これから確立すべきベアラのベアラ種別を判定する（ステップＳ３０２）。具体的には、交換局ＳＧＳＮは、上述の契約情報や端末能力情報に基づいて、ＧＰＲＳベアラを確立すべきか、ＥＰＳベアラを確立すべきかを判定する。確立すべきベアラのベアラ種別がＧＰＲＳベアラである場合、交換局ＳＧＳＮは、ステップＳ３０１で受信したＰＳ発信信号に含まれるＰ−ＴＭＳＩにより、ベアラ種別を判定する（ステップＳ３０３）。なお、Ｐ−ＴＭＳＩによるベアラ種別の判定手法は、図７のステップＳ２０４と同様である。Ｐ−ＴＭＳＩにより示されるベアラ種別がＧＰＲＳベアラである場合、交換局ＳＧＳＮは、移動端末ＵＥのＧＰＲＳベアラ確立処理を継続する（ステップＳ３０４）。
【００５４】
一方、Ｐ−ＴＭＳＩにより示されるベアラ種別がＥＰＳベアラである場合、交換局ＳＧＳＮは、ＧＰＲＳベアラを利用することを示すＰ−ＴＭＳＩを移動端末ＵＥに割り当てる（ステップＳ３０５）。例えば、交換局ＳＧＳＮは、図３（ａ）に示すベアラ識別子が「１（ＧＰＲＳベアラ利用）」に設定されたＰ−ＴＭＳＩや、図３（ｂ）に示すＧＰＲＳ領域に値が設定されたＰ−ＴＭＳＩを移動端末ＵＥに割り当てる。交換局ＳＧＳＮは、割当てられたＰ−ＴＭＳＩを含むＰ−ＴＭＳＩ再割当信号を移動端末ＵＥに送信する（ステップＳ３０６）。また、交換局ＳＧＳＮは、移動端末ＵＥのＧＰＲＳベアラ確立処理を継続する（ステップＳ３１１）。
【００５５】
確立すべきベアラのベアラ種別がＥＰＳベアラである場合、交換局ＳＧＳＮは、ステップＳ３０３と同様に、Ｓ３０１で受信したＰＳ発信信号に含まれるＰ−ＴＭＳＩにより、ベアラ種別を判定する（ステップＳ３０７）。Ｐ−ＴＭＳＩにより示されるベアラ種別がＥＰＳベアラである場合、交換局ＳＧＳＮは、移動端末ＵＥのＥＰＳベアラ確立処理を継続する（ステップＳ３０８）。
【００５６】
一方、Ｐ−ＴＭＳＩにより示されるベアラ種別がＧＰＲＳベアラである場合、交換局ＳＧＳＮは、ＥＰＳベアラを利用することを示すＰ−ＴＭＳＩを移動端末ＵＥに割り当てる（ステップＳ３０９）。例えば、交換局ＳＧＳＮは、図３（ａ）に示すベアラ識別子が「０（ＥＰＳベアラ利用）」に設定されたＰ−ＴＭＳＩや、図３（ｂ）に示すＥＰＳ領域に値が設定されたＰ−ＴＭＳＩを移動端末ＵＥに割り当てる。交換局ＳＧＳＮは、割当てられたＰ−ＴＭＳＩを含むＰ−ＴＭＳＩ再割当信号を移動端末ＵＥに送信する（ステップＳ３１０）。また、交換局ＳＧＳＮは、移動端末ＵＥのＥＰＳベアラ確立処理を継続する（ステップＳ３１２）。
【００５７】
＜作用・効果＞
第１の実施形態に係る移動通信システムによれば、移動端末ＵＥの移動先の交換局ＳＧＳＮ＃２が、Ｐ−ＴＭＳＩによって示されるベアラ種別に対応したプロトコルを用いて移動元の交換局ＳＧＳＮ＃１で保持されるベアラ情報の引継ぎを要求するので、移動元の交換局ＳＧＳＮ＃１と移動先の交換局ＳＧＳＮ＃２との間で確実にベアラ情報の引継ぎ処理を行うことができ、サービス中断といった事態を招くのを防ぐことができる。
【００５８】
［第２の実施形態］
次に、第２の実施形態に係る移動通信システムについて、第１の実施形態との相違点を中心に説明する。第２の実施形態に係る移動通信システムでは、交換局ＳＧＳＮが、移動端末ＵＥの契約情報に加えて、移動端末ＵＥの端末能力情報に基づいて、Ｐ−ＴＭＳＩを移動端末ＵＥに割り当てる点で、第１の実施形態と異なる。
【００５９】
＜交換局ＳＧＳＮの構成＞
Ｐ−ＴＭＳＩ割当部１０５は、移動端末ＵＥの契約情報に加えて、移動端末ＵＥの端末能力情報に基づいて、Ｐ−ＴＭＳＩを移動端末ＵＥに割り当てる。ここで、端末能力情報とは、移動端末ＵＥのＬＴＥ方式の対応有無を示すものである。
【００６０】
具体的には、Ｐ−ＴＭＳＩ割当部１０５は、契約情報判定部１０４によって契約情報が「ＥＰＳ＋ＧＰＲＳ」であると判定され、かつ、移動端末ＵＥがＬＴＥ方式に対応している場合、ＥＰＳベアラを利用することを示すＰ−ＴＭＳＩを移動端末ＵＥに割り当てる。一方、Ｐ−ＴＭＳＩ割当部１０５は、契約情報判定部１０４によって契約情報が「ＥＰＳ＋ＧＰＲＳ」であると判定されても、かつ、移動端末ＵＥがＬＴＥ方式に対応していない場合、ＧＰＲＳベアラを利用することを示すＰ−ＴＭＳＩを移動端末ＵＥに割り当てる。
【００６１】
Ｐ−ＴＭＳＩ再割当部１０８は、変更された移動端末ＵＥの端末能力に対応するベアラ種別とＰ−ＴＭＳＩによって示されるベアラ種別とが異なる場合、変更された端末能力に対応するベアラを利用することを示すＰ−ＴＭＳＩを移動端末ＵＥに再割当てする。例えば、移動端末ＵＥのＬＴＥ方式の対応有無が対応から非対応に変更されたのに、移動端末ＵＥに割り当てられているＰ−ＴＭＳＩがＥＰＳベアラを利用することを示す場合、ＧＰＲＳベアラを利用することを示すＰ−ＴＭＳＩを移動端末ＵＥに再割当する。
【００６２】
また、Ｐ−ＴＭＳＩ再割当部１０８は、変更された移動端末ＵＥの端末能力に対応するベアラ種別と、移動端末ＵＥの契約情報に対応するベアラ種別とが一致する場合、変更された端末能力に対応するベアラを利用することを示すＰ−ＴＭＳＩを移動端末ＵＥに再割当てする。例えば、Ｐ−ＴＭＳＩ割当部１０５は、移動端末ＵＥのＬＴＥ方式の対応有無が非対応から対応に変更され、かつ、移動端末ＵＥの契約情報が「ＧＰＲＳ＋ＥＰＳ」である場合、ＥＰＳベアラを利用することを示すＰ−ＴＭＳＩを移動端末ＵＥに再割当する。
【００６３】
また、Ｐ−ＴＭＳＩ再割当部１０８は、変更された移動端末ＵＥの契約情報に対応するベアラ種別とＰ−ＴＭＳＩによって示されるベアラ種別とが異なる場合、変更された契約情報に対応するベアラを利用することを示すＰ−ＴＭＳＩを移動端末ＵＥに再割当てする。例えば、Ｐ−ＴＭＳＩ割当部１０５は、移動端末ＵＥの契約情報が「ＧＰＲＳ＋ＥＰＳ」から「ＧＰＲＳ  ｏｎｌｙ」に変更されたのに、移動端末ＵＥに割り当てられているＰ−ＴＭＳＩがＥＰＳベアラを利用することを示す場合、ＧＰＲＳベアラを利用することを示すＰ−ＴＭＳＩを移動端末ＵＥに再割当する。
【００６４】
また、Ｐ−ＴＭＳＩ再割当部１０８は、変更された移動端末ＵＥの契約情報に対応するベアラ種別と、移動端末ＵＥの端末能力に対応するベアラ種別とが一致する場合、変更された契約情報に対応するベアラを利用することを示すＰ−ＴＭＳＩを移動端末ＵＥに再割当てする。例えば、Ｐ−ＴＭＳＩ再割当部１０８は、移動端末ＵＥの契約情報が「ＧＰＲＳ  ｏｎｌｙ」から「ＧＰＲＳ＋ＥＰＳ」に変更され、かつ、移動端末ＵＥがＬＴＥ方式に対応している場合、ＥＰＳベアラを利用することを示すＰ−ＴＭＳＩを移動端末ＵＥに再割当する。
【００６５】
＜移動通信システムの動作＞
（２−１）アタッチ時の動作
図１０を参照し、第２の実施形態に係る移動通信システムにおけるアタッチ時の動作について、第１の実施形態との相違点を説明する。図１０は、第２の実施形態に係る移動通信システムにおけるアタッチ時の動作を示すシーケンス図である。
【００６６】
図１０に示すように、セル内に在圏する移動端末ＵＥは、移動端末ＵＥの端末能力情報を含むアタッチ信号を交換局ＳＧＳＮに送信する（ステップＳ４０１）。なお、ステップＳ４０２〜Ｓ４０６は、図５のステップＳ１０２〜Ｓ１０６と同様であるため、説明を省略する。
【００６７】
契約情報が「ＥＰＳ＋ＧＰＲＳ」である場合、交換局ＳＧＳＮは、ステップＳ４０１で受信したアタッチ信号に含まれる端末能力情報により、移動端末ＵＥのＬＴＥ方式の対応有無を判定する（ステップＳ４０７）。
【００６８】
移動端末ＵＥがＬＴＥ方式に対応していない場合、交換局ＳＧＳＮは、ＧＰＲＳベアラを利用することを示すＰ−ＴＭＳＩを移動端末ＵＥに割り当てる（ステップＳ４０８）。なお、ＧＰＲＳベアラを利用することを示すＰ−ＴＭＳＩの割当て方は、図５のステップＳ１０５と同様の方法が用いられる。交換局ＳＧＳＮは、割当てられたＰ−ＴＭＳＩを含むアタッチ応答信号を移動端末ＵＥに送信する（ステップＳ４０９）。
【００６９】
移動端末ＵＥがＬＴＥ方式に対応している場合、交換局ＳＧＳＮは、ＥＰＳベアラを利用することを示すＰ−ＴＭＳＩを移動端末ＵＥに割り当てる（ステップＳ４１０）。なお、ＧＰＲＳベアラを利用することを示すＰ−ＴＭＳＩの割当て方は、図５のステップＳ１０７と同様の方法が用いられる。交換局ＳＧＳＮは、割当てられたＰ−ＴＭＳＩを含むアタッチ応答信号を移動端末ＵＥに送信する（ステップＳ４１１）。
【００７０】
（２−２）端末能力変更時の動作
図１１を参照し、第２の実施形態に係る移動通信システムにおいて、移動端末ＵＥの端末能力が変更された場合の動作について説明する。図１１は、第２の実施形態に係る移動通信システムにおいて、移動端末ＵＥの端末能力情報が変更された場合の動作を示すシーケンス図である。
【００７１】
なお、図１１において、交換局ＳＧＳＮは、上述のアタッチ時の動作において、移動端末ＵＥから通知された端末能力情報と、加入者管理サーバＨＳＳから通知された移動端末ＵＥの契約情報と、移動端末ＵＥに割り当てたＰ−ＴＭＳＩを保持しているものとする。
【００７２】
図１１に示すように、移動端末ＵＥは、変更された端末能力情報を含む端末変更信号を交換局ＳＧＳＮに送信する（ステップＳ５０１）。ここで、端末変更信号とは、移動端末ＵＥの端末能力の変更を通知するものである。
【００７３】
交換局ＳＧＳＮは、ステップＳ５０１で受信された移動端末ＵＥの端末能力情報と保持している移動端末ＵＥの端末能力情報とに基づいて、移動端末ＵＥのＬＴＥ方式の対応有無がどのように変更されたかを判定する（ステップＳ５０２）。
【００７４】
ＬＴＥ方式の対応有無が対応から非対応に変更された場合、交換局ＳＧＳＮは、移動端末ＵＥに割り当てているＰ−ＴＭＳＩにより、ベアラ種別を判定する（ステップＳ５０３）。ベアラ種別がＧＰＲＳベアラである場合、既に割り当てられているＰ−ＴＭＳＩ（ＧＰＲＳ用）を用いて処理を継続する（ステップＳ５０４）。一方、ベアラ種別がＥＰＳベアラである場合、ＧＰＲＳベアラを利用することを示すＰ−ＴＭＳＩを移動端末ＵＥに割り当てる（ステップＳ５０５）。交換局ＳＧＳＮは、割当てられたＰ−ＴＭＳＩを含むＰ−ＴＭＳＩ再割当信号を移動端末ＵＥに送信する（ステップＳ５０６）。
【００７５】
ＬＴＥ方式の対応有無が非対応から対応に変更された場合、交換局ＳＧＳＮは、移動端末ＵＥの契約情報を判定する（ステップＳ５０７）。契約情報が「ＧＰＲＳ  ｏｎｌｙ」である場合、既に割り当てられているＰ−ＴＭＳＩ（ＧＰＲＳ用）を用いて処理を継続する（ステップＳ５０８）。一方、契約情報が「ＥＰＳ＋ＧＰＲＳ」である場合、交換局ＳＧＳＮは、ＥＰＳベアラを利用することを示すＰ−ＴＭＳＩを移動端末ＵＥに割り当てる（ステップＳ５０９）。交換局ＳＧＳＮは、割当てられたＰ−ＴＭＳＩを含むＰ−ＴＭＳＩ再割当信号を移動端末ＵＥに送信する（ステップＳ５１０）。
【００７６】
（２−３）契約変更時の動作
図１２を参照し、第２の実施形態に係る移動通信システムにおいて、移動端末ＵＥの契約情報が変更された場合の動作について説明する。図１２は、第２の実施形態に係る移動通信システムにおいて、移動端末ＵＥの契約情報が変更された場合の動作を示すシーケンス図である。
【００７７】
なお、図１２において、交換局ＳＧＳＮは、上述のアタッチ時の動作において、移動端末ＵＥから通知された端末能力情報と、加入者管理サーバＨＳＳから通知された移動端末ＵＥの契約情報と、移動端末ＵＥに割り当てたＰ−ＴＭＳＩを保持しているものとする。
【００７８】
図１２に示すように、加入者管理サーバＨＳＳは、変更された契約情報を含む契約変更信号を交換局ＳＧＳＮに送信する（ステップＳ６０１）。ここで、契約変更信号とは、移動端末ＵＥの契約情報の変更を通知するものである。
【００７９】
交換局ＳＧＳＮは、ステップＳ６０１で受信された移動端末ＵＥの契約情報と保持している移動端末ＵＥの契約情報とに基づいて、移動端末ＵＥの契約情報がどのように変更されたかを判定する（ステップＳ６０２）。
【００８０】
契約情報が「ＧＰＲＳ  ｏｎｌｙ」から「ＧＰＲＳ＋ＥＰＳ」に変更された場合、交換局ＳＧＳＮは、保持している移動端末ＵＥの端末能力情報により、移動端末ＵＥがＬＴＥ方式に対応しているか否かを判定する（ステップＳ６０３）。移動端末ＵＥがＬＴＥ方式に対応していない場合、既に割り当てられているＰ−ＴＭＳＩ（ＧＰＲＳ用）を用いて処理を継続する（ステップＳ６０４）。一方、移動端末ＵＥがＬＴＥ方式に対応している場合、ＥＰＳベアラを利用することを示すＰ−ＴＭＳＩを移動端末ＵＥに割り当てる（ステップＳ６０５）。交換局ＳＧＳＮは、割当てられたＰ−ＴＭＳＩを含むＰ−ＴＭＳＩ再割当信号を移動端末ＵＥに送信する（ステップＳ６０６）。
【００８１】
契約情報が「ＧＰＲＳ＋ＥＰＳ」から「ＧＰＲＳ  ｏｎｌｙ」に変更された場合、交換局ＳＧＳＮは、移動端末ＵＥに割り当てているＰ−ＴＭＳＩにより、ベアラ種別を判定する（ステップＳ６０７）。ベアラ種別がＧＰＲＳベアラである場合、既に割り当てられているＰ−ＴＭＳＩ（ＧＰＲＳ用）を用いて処理を継続する（ステップＳ６０８）。一方、ベアラ種別がＥＰＳベアラである場合、ＧＰＲＳベアラを利用することを示すＰ−ＴＭＳＩを移動端末ＵＥに割り当てる（ステップＳ６０９）。交換局ＳＧＳＮは、割当てられたＰ−ＴＭＳＩを含むＰ−ＴＭＳＩ再割当信号を移動端末ＵＥに送信する（ステップＳ６１０）。
【００８２】
＜作用・効果＞
第２の実施形態に係る移動通信システムによれば、交換局ＳＧＳＮは、移動端末ＵＥの契約情報だけでなく、移動端末ＵＥがＬＴＥ方式に対応しているか否かに基づいて、ＧＰＲＳベアラ又はＥＰＳベアラのいずれかを利用することを示すＰ−ＴＭＳＩを割り当てるので、移動端末ＵＥの移動先の交換局ＳＧＳＮが移動元の交換局ＳＧＳＮで保持されるベアラ情報の引継ぎをより適切なプロトコルで要求することができる。この結果、サービス中断といった事態を招くのを防ぐことができる。
【００８３】
［第３の実施形態］
次に、第３の実施形態に係る移動通信システムについて、第１の実施形態との相違点を中心に説明する。第３の実施形態に係る移動通信システムでは、Ｐ−ＴＭＳＩとは別に移動端末ＵＥが利用するベアラを識別するためのベアラ識別子（新規ビット）が設けられる点で、第１の実施形態と異なる。
【００８４】
ＵＥ間インタフェース部１０１は、契約情報判定部１０４の判定結果に基づいて、移動端末ＵＥが利用するベアラを識別するためのベアラ識別子（新規ビット）を含むアタッチ応答信号を移動端末ＵＥに送信する。図１３は、アタッチ応答信号のフォーマットの一例を示す図である。図１３に示すように、アタッチ応答信号には、Ｐ−ＴＭＳＩとは別にベアラ識別子（新規ビット）が新たに設けられる。なお、ベアラ識別子は、「１（ＧＰＲＳベアラ利用）」、「０（ＥＰＳベアラ利用）」のように設定されてもよいし、これとは逆に「１（ＥＰＳベアラ利用）」、「０（ＧＰＲＳベアラ利用）」のように設定されてもよい。
【００８５】
また、ＵＥ間インタフェース部１０１は、上述のベアラ識別子（新規ビット）を含む位置登録要求信号を受信してもよい。かかる場合、ＧＴＰバージョン決定部１０７は、当該ベアラ識別子に基づいて、ＧＰＲＳベアラ情報を受信可能なＧＴＰｖ１を用いて、又はＥＰＳベアラ情報を受信可能なＧＴＰｖ２を用いて、ベアラ情報要求信号を送信することを決定する。
【００８６】
＜移動通信システムの動作＞
（３−１）アタッチ時の動作
図１４を参照し、第３の実施形態に係る移動通信システムにおけるアタッチ時の動作について、第１の実施形態との相違点を説明する。図１４は、第３の実施形態に係る移動通信システムにおけるアタッチ時の動作を示すシーケンス図である。なお、図１４のステップＳ７０１〜Ｓ７０４は、図５のステップＳ１０１〜Ｓ１０４と同様であるため、説明を省略する。
【００８７】
契約情報が「ＧＰＲＳ  ｏｎｌｙ」である場合、交換局ＳＧＳＮは、ＧＰＲＳベアラを利用することを示すベアラ識別子（新規ビット）を作成する（ステップＳ７０５）。例えば、交換局ＳＧＳＮは、図１３に示すベアラ識別子を「１（ＧＰＲＳベアラ利用）」に設定する。交換局ＳＧＳＮは、設定されたベアラ識別子を含むアタッチ応答信号を移動端末ＵＥに送信する（ステップＳ７０６）。
【００８８】
契約情報が「ＥＰＳ＋ＧＰＲＳ」である場合、交換局ＳＧＳＮは、ＥＰＳベアラを利用することを示すベアラ識別子（新規ビット）を作成する（ステップＳ７０７）。例えば、交換局ＳＧＳＮは、図１３に示すベアラ識別子を「０（ＥＰＳベアラ利用）」に設定する。交換局ＳＧＳＮは、設定されたベアラ識別子を含むアタッチ応答信号を移動端末ＵＥに送信する（ステップＳ７０８）。
【００８９】
［その他の実施形態］
上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００９０】
ＵＥ…移動端末、ＮＢ／ＢＴＳ…無線基地局、ＲＮＣ／ＢＳＣ…無線制御装置、ＳＧＳＮ…交換局、ＧＧＳＮ、Ｐ−ＧＷ…パケットゲートウェイ、Ｓ−ＧＷ…サービングゲートウェイ、ＨＳＳ…加入者管理サーバ、１０１…ＵＥ間インタフェース部、１０２…ＨＳＳ間インタフェース部、１０３…ＳＧＳＮ間インタフェース部、１０４…契約情報判定部、１０５…Ｐ−ＴＭＳＩ割当部、１０６…Ｐ−ＴＭＳＩ判定部、１０７…ＧＴＰバージョン決定部、１０８…Ｐ−ＴＭＳＩ再割当部
【図１】
2011135333.tif 000003
【図２】
2011135333.tif 000004
【図３】
2011135333.tif 000005
【図４】
2011135333.tif 000006
【図５】
2011135333.tif 000007
【図６】
2011135333.tif 000008
【図７】
2011135333.tif 000009
【図８】
2011135333.tif 000010
【図９】
2011135333.tif 000011
【図１０】
2011135333.tif 000012
【図１１】
2011135333.tif 000013
【図１２】
2011135333.tif 000014
【図１３】
2011135333.tif 000015
【図１４】
2011135333.tif 000016
【図１５】
2011135333.tif 000017